(57)【特許請求の範囲】
【請求項１】
ユーザの携帯電話機での操作を必要とすることなく当該携帯電話機から車載ハンズフリー装置への電話帳データの転送を行うための第１の電話帳データ転送プロトコルに対応している携帯電話機との間で当該第１の電話帳データ転送プロトコルを接続可能な第１の電話帳データ転送プロトコル接続手段と、
ユーザの携帯電話機での操作を必要として当該携帯電話機から車載ハンズフリー装置への電話帳データの転送を行うための第２の電話帳データ転送プロトコルに対応している携帯電話機との間で当該第２の電話帳データ転送プロトコルを接続可能な第２の電話帳データ転送プロトコル接続手段と、
携帯電話機を用いたハンズフリー通信を行うためのハンズフリー通信プロトコルに対応している携帯電話機との間で当該ハンズフリー通信プロトコルを接続可能なハンズフリー通信プロトコル接続手段と、
携帯電話機の電話帳データ転送プロトコルに対する対応状況を問合わせるための機能問合プロトコルに対応している携帯電話機との間で当該機能問合プロトコルを接続可能な機能問合プロトコル接続手段と、
携帯電話機との間でハンズフリー通信プロトコルを前記ハンズフリー通信プロトコル接続手段により接続させる場合に前記携帯電話機との間で機能問合プロトコルを前記機能問合プロトコル接続手段により接続させ、前記携帯電話機から通知された機能問合応答を前記携帯電話機と対応付けて記憶手段に記憶させる制御手段とを備え、
前記制御手段は、ユーザが前記携帯電話機に登録されている電話帳データの全件を転送対象とする全件転送を指示する操作を操作手段により行った場合に、電話帳データの全件転送が指示された携帯電話機に対応付けて前記記憶手段に記憶されている機能問合応答を参照して第１の電話帳データ転送プロトコル及び第２の電話帳データ転送プロトコルのうちいずれかを選択し、その選択した電話帳データ転送プロトコルを前記電話帳データ転送プロトコル手段により接続させる車載ハンズフリー装置であって、
さらに、前記制御手段は、ユーザが前記携帯電話機に登録されている電話帳データの一部の件を転送対象とする追加転送を指示する操作を前記操作手段により行った場合に、電話帳データの追加転送が指示された携帯電話機に対応付けて前記記憶手段に記憶されている機能問合応答を参照することなく第２の電話帳データ転送プロトコルを選択し、その選択した第２の電話帳データ転送プロトコルを前記第２の電話帳データ転送プロトコル手段により接続させることを特徴とする車載ハンズフリー装置。
【請求項２】
請求項１に記載した車載ハンズフリー装置において、
前記制御手段は、前記携帯電話機との間で機能問合プロトコルを前記機能問合プロトコル接続手段により接続させてから規定時間が経過する前に前記携帯電話機から第１の電話帳データ転送プロトコルに対応している旨が通知された場合に、前記携帯電話機が第１の電話帳データ転送プロトコルに対応している旨を前記記憶手段に記憶させ、前記携帯電話機との間で機能問合プロトコルを前記機能問合プロトコル接続手段により接続させてから規定時間が経過する前に前記携帯電話機から第１の電話帳データ転送プロトコルに対応している旨が通知されなかった場合及び前記携帯電話機から第１の電話帳データ転送プロトコルに対応している旨が通知されることなく前記規定時間が経過した場合に、前記携帯電話機が第１の電話帳データ転送プロトコルに対応していない旨を前記記憶手段に記憶させることを特徴とする車載ハンズフリー装置。
【請求項３】
請求項１に記載した車載ハンズフリー装置において、
前記制御手段は、前記携帯電話機との間で機能問合プロトコルを前記機能問合プロトコル接続手段により接続させてから規定時間が経過する前に前記携帯電話機から第１の電話帳データ転送プロトコルに対応していない旨が通知された場合に、前記携帯電話機が第１の電話帳データ転送プロトコルに対応していない旨を前記記憶手段に記憶させ、前記携帯電話機との間で機能問合プロトコルを前記機能問合プロトコル接続手段により接続させてから規定時間が経過する前に前記携帯電話機から第１の電話帳データ転送プロトコルに対応していない旨が通知されなかった場合及び前記携帯電話機から第１の電話帳データ転送プロトコルに対応していない旨が通知されることなく前記規定時間が経過した場合に、前記携帯電話機が第１の電話帳データ転送プロトコルに対応している旨を前記記憶手段に記憶させることを特徴とする車載ハンズフリー装置。
【請求項４】
請求項１ないし３のいずれかに記載した車載ハンズフリー装置において、
前記制御手段は、前記携帯電話機が第１の電話帳データ転送プロトコルに対応している旨を前記記憶手段に記憶させた場合に、ユーザが電話帳データの転送を指示する操作を前記操作手段により行わなくとも、前記携帯電話機との間で第１の電話帳データ転送プロトコルを前記第１の電話帳データ転送プロトコル接続手段により接続させることを特徴とする車載ハンズフリー装置。
【発明の詳細な説明】
【技術分野】
【０００１】
本発明は、携帯電話機から車載ハンズフリー装置への電話帳データの転送を行うための電話帳データ転送プロトコルに対応している携帯電話機との間で当該電話帳データ転送プロトコルを接続するように構成されてなる車載ハンズフリー装置に関する。
【背景技術】
【０００２】
携帯電話機に登録されている電話帳データを当該携帯電話機から車載ハンズフリー装置にＢｌｕｅｔｏｏｔｈ（登録商標）（以下、ＢＴと称する）通信回線を接続して転送する構成がある（例えば特許文献１参照）。
【特許文献１】特開２００２−１９３０４６号公報
【発明の開示】
【発明が解決しようとする課題】
【０００３】
ところで、ＢＴの通信規格で標準化されている電話帳データを転送する方法としては、フォンブックアクセスプロファイル（以下、ＰＢＡＰ（Phone Book Access Profile）と称する）とオブジェクトプッシュプロファイル（以下、ＯＰＰ（Object Push Profile）と称する）とがある。ＰＢＡＰは所謂プル型の電話帳データ転送を規定しているプロファイルであり、ＰＢＡＰを接続した状態ではユーザは携帯電話機を何ら操作することなく車載ハンズフリー装置を操作するだけで携帯電話機に登録されている電話帳データの全件を当該携帯電話機から車載ハンズフリー装置に電話帳データを転送させることができる。一方、ＯＰＰは所謂プッシュ型の電話帳データ転送を規定しているプロファイルであり、ＯＰＰを接続した状態ではユーザは車載ハンズフリー装置と携帯電話機の双方を操作しなければ携帯電話機から車載ハンズフリー装置に電話帳データを転送させることができず、しかも、ユーザは携帯電話機を操作して当該携帯電話機に登録されている電話帳データのうち転送させる電話帳データを指定する必要がある。
【０００４】
このような事情から、車載ハンズフリー装置から見れば、ユーザの操作性を考慮した上では携帯電話機との間でＰＢＡＰを接続した状態で電話帳データを転送させることが理想であるが、ＰＢＡＰを接続しようとする携帯電話機がＰＢＡＰに対応している（機能を有している）か否かはＰＢＡＰの接続手順を開始した後でしか判定することができない。そのため、ユーザが電話帳データの転送を指示する操作を行うと、接続対象の携帯電話機がＰＢＡＰに対応していれば、車載ハンズフリー装置が携帯電話機に対してＰＢＡＰの接続手順を開始し、車載ハンズフリー装置が携帯電話機との間でＰＢＡＰを接続し、携帯電話機に登録されている電話帳データが携帯電話機から車載ハンズフリー装置に転送され、何ら不都合は発生しない。
【０００５】
しかしながら、接続対象の携帯電話機がＯＰＰに対応しているがＰＢＡＰに対応していなければ、車載ハンズフリー装置が携帯電話機に対してＰＢＡＰの接続手順を開始するが、車載ハンズフリー装置が携帯電話機との間でＰＢＡＰを接続することはなく、その後、携帯電話機が車載ハンズフリー装置に対してＯＰＰの接続手順を開始し、携帯電話機が車載ハンズフリー装置との間でＯＰＰを接続し、携帯電話機に登録されている電話帳データのうちユーザが携帯電話機を操作して指定した電話帳データが携帯電話機から車載ハンズフリー装置に転送されることになる。すなわち、ユーザは電話帳データの転送を指示する操作を行った後で接続対象の携帯電話機がＰＢＡＰに対応しているか否かを意識した上でＰＢＡＰ及びＯＰＰのいずれかにより携帯電話機から車載ハンズフリー装置に電話帳データを転送させざるを得ず、使い勝手に劣るという問題がある。
【０００６】
本発明は、上記した事情に鑑みてなされたものであり、その目的は、ユーザが電話帳データの転送を指示する操作を行った後で接続対象の携帯電話機がいずれの機能に対応しているか否かを意識することなく携帯電話機から車載ハンズフリー装置に電話帳データを転送させることができ、使い勝手を高めることができる車載ハンズフリー装置を提供することにある。
【課題を解決するための手段】
【０００７】
請求項１に記載した発明によれば、制御手段は、携帯電話機との間でハンズフリー通信プロトコルをハンズフリー通信プロトコル接続手段により接続させる場合に携帯電話機との間で機能問合プロトコルを機能問合プロトコル接続手段により接続させ、携帯電話機から通知された機能問合応答を携帯電話機と対応付けて記憶手段に記憶させる。そして、制御手段は、ユーザが電話帳データの全件転送を指示する操作を操作手段により行うと、電話帳データの全件転送が指示された携帯電話機に対応付けて記憶手段に記憶されている機能問合応答を参照して第１の電話帳データ転送プロトコル及び第２の電話帳データ転送プロトコルのうちいずれかを選択し、その選択した電話帳データ転送プロトコルを電話帳データ転送プロトコル手段により接続させる。
【０００８】
これにより、ユーザが電話帳データの全件転送を指示する操作を行った時点では、携帯電話機の電話帳データ転送プロトコルに対する対応状況を機能問合応答として既に記憶しており、その記憶している機能問合応答に基づいて携帯電話機との間で第１の電話帳データ転送プロトコル及び第２の電話帳データ転送プロトコルのうちいずれを接続させるかを選択することになるので、ユーザが電話帳データの全件転送を指示する操作を行った後で接続対象の携帯電話機がいずれの機能に対応しているか否かを意識することなく携帯電話機から車載ハンズフリー装置に電話帳データを転送させることができ、使い勝手を高めることができる。
【０００９】
また、携帯電話機に登録されている電話帳データの全件を転送させる場合には携帯電話機を何ら操作する必要がないという事情から、携帯電話機が第１の電話帳データ転送プロトコルに対応している機種であれば、ユーザの携帯電話機での操作を必要としない第１の電話帳データ転送プロトコルを選択することにより、用途に適した電話帳データ転送プロトコルを適切に選択して携帯電話機から車載ハンズフリー装置に電話帳データを転送させることができる。
【００１０】
さらに、制御手段は、ユーザが電話帳データの追加転送を指示する操作を操作手段により行うと、電話帳データの追加転送が指示された携帯電話機に対応付けて記憶手段に記憶されている機能問合応答を参照することなく第２の電話帳データ転送プロトコルを選択し、その選択した第２の電話帳データ転送プロトコルを第２の電話帳データ転送プロトコル手段により接続させる。
【００１１】
これにより、ユーザが電話帳データの追加転送を指示する操作を行うと、ユーザの携帯電話機での操作を必要として当該携帯電話機から車載ハンズフリー装置への電話帳データの転送を行うための第２の電話帳データ転送プロトコルを選択することになるので、携帯電話機に登録されている電話帳データの一部を転送させる場合には携帯電話機を操作する必要があるという事情から、携帯電話機が第１の電話帳データ転送プロトコルに対応している機種であるか否かに関わらず第２の電話帳データ転送プロトコルを選択することにより、用途に適した電話帳データ転送プロトコルを適切に選択して携帯電話機から車載ハンズフリー装置に電話帳データを転送させることができる。
【００１２】
請求項２に記載した発明によれば、制御手段は、携帯電話機との間で機能問合プロトコルを機能問合プロトコル接続手段により接続させてから規定時間が経過する前に携帯電話機から第１の電話帳データ転送プロトコルに対応している旨が通知された場合に、携帯電話機が第１の電話帳データ転送プロトコルに対応している旨を記憶手段に記憶させ、一方、携帯電話機との間で機能問合プロトコルを機能問合プロトコル接続手段により接続させてから規定時間が経過する前に携帯電話機から第１の電話帳データ転送プロトコルに対応している旨が通知されなかった場合及び携帯電話機から第１の電話帳データ転送プロトコルに対応している旨が通知されることなく規定時間が経過した場合に、携帯電話機が第１の電話帳データ転送プロトコルに対応していない旨を記憶手段に記憶させる。
【００１３】
これにより、第１の電話帳データ転送プロトコルに対応している旨を規定時間内に通知した機種だけを第１の電話帳データ転送プロトコルの接続対象とすることができ、第１の電話帳データ転送プロトコルを接続する確実性を高めることができる。
【００１４】
請求項３に記載した発明によれば、制御手段は、携帯電話機との間で機能問合プロトコルを機能問合プロトコル接続手段により接続させてから規定時間が経過する前に携帯電話機から第１の電話帳データ転送プロトコルに対応していない旨が通知された場合に、携帯電話機が第１の電話帳データ転送プロトコルに対応していない旨を記憶手段に記憶させ、一方、携帯電話機との間で機能問合プロトコルを機能問合プロトコル接続手段により接続させてから規定時間が経過する前に携帯電話機から第１の電話帳データ転送プロトコルに対応していない旨が通知されなかった場合及び携帯電話機から第１の電話帳データ転送プロトコルに対応していない旨が通知されることなく規定時間が経過した場合に、携帯電話機が第１の電話帳データ転送プロトコルに対応している旨を記憶手段に記憶させる。
【００１５】
これにより、第１の電話帳データ転送プロトコルに対応していない旨を規定時間内に通知した機種以外の機種を第１の電話帳データ転送プロトコルの接続対象とすることができ、例えば第１の電話帳データ転送プロトコルに対応しているがその旨を規定時間内に通知しない或いは通知することが不可能に設計されている機種をも第１の電話帳データ転送プロトコルの接続対象とすることができ、第１の電話帳データ転送プロトコルに対応している機種を広く救済することができる。
【００１６】
請求項４に記載した発明によれば、制御手段は、携帯電話機が第１の電話帳データ転送プロトコルに対応している旨を記憶手段に記憶させた場合に、ユーザが電話帳データの転送を指示する操作を操作手段により行わなくとも、携帯電話機との間で第１の電話帳データ転送プロトコルを第１の電話帳データ転送プロトコル接続手段により接続させる。
【００１７】
これにより、携帯電話機が第１の電話帳データ転送プロトコルに対応している機種であれば、携帯電話機の電話帳データ転送プロトコルに対する対応状況を問合せた直後に、ユーザが電話帳データの転送を指示する操作を操作手段により行わなくとも、携帯電話機から車載ハンズフリー装置に電話帳データを転送させることができ、携帯電話機に登録されている最新の電話帳データを車載ハンズフリー装置に登録させることができる。
【発明を実施するための最良の形態】
【００１８】
以下、本発明の一実施形態について、図面を参照して説明する。車載ハンズフリー装置１は、車両に搭載され、制御部２（本発明でいう制御手段）と、Ｂｌｕｅｔｏｏｔｈ（登録商標）（以下、ＢＴと称する）インタフェース部３（本発明でいう第１の電話帳データ転送プロトコル接続手段、第２の電話帳データ転送プロトコル接続手段、ハンズフリー通信プロトコル接続手段、機能問合プロトコル接続手段）と、通話音声処理部４と、記憶部５（本発明でいう記憶手段）と、表示制御部６と、タッチ操作入力部７とを備えて構成されている。
【００１９】
制御部２は、ＣＰＵ、ＲＡＭ、ＲＯＭ及びＩ／Ｏバスなどを有し、車載ハンズフリー装置１の通信動作や電話帳データ管理動作などの動作全般を制御する。ＢＴインタフェース部３は、ＢＴの通信規格で標準化されているハンズフリー通信を行うためのハンズフリープロファイル（以下、ＨＦＰ（Hands Free Profile）と称する）、ＢＴの通信規格で標準化されている電話帳データの転送を行うためのフォンブックアクセスプロファイル（以下、ＰＢＡＰ（Phone Book Access Profile）と称する）及びオブジェクトプッシュプロファイル（以下、ＯＰＰ（Object Push Profile）と称する）、ＢＴの通信機能を有する（ＢＴ対応の）携帯電話機２１がＢＴの通信規格で標準化されている提供可能な機能を問合わせるためのサービスディスカバリープロファイル（以下、ＳＤＰ（Service Discovery Profile）と称する）などに対応している（機能を有している）。
【００２０】
上記したＨＦＰは本発明でいうハンズフリー通信プロトコルである。ＰＢＡＰはユーザが携帯電話機２１を何ら操作することなく車載ハンズフリー装置１を操作するだけで携帯電話機２１から車載ハンズフリー装置１に電話帳データを転送させることが可能なプロファイルであり、本発明でいう第１の電話帳データ転送プロトコルである。ＯＰＰはユーザが車載ハンズフリー装置１と携帯電話機２１の双方を操作しなければ携帯電話機２１から車載ハンズフリー装置１に電話帳データを転送させることができないプロファイルであり、本発明でいう第２の電話帳データ転送プロトコルである。ＳＤＰは本発明でいう機能問合プロトコルである。尚、これらプロファイルは、機能毎に定義された通信プロトコルを意味している。
【００２１】
通話音声処理部４は、車室内にあって例えばハンドルの近傍などのユーザが発した音声を集音し易い部位に配置されているマイクロホン８を接続していると共に、車載ハンズフリー装置１の外部に配置されているオーディオアンプ９を接続している。通話音声処理部４は、車室内に持込まれた携帯電話機２１を用いたハンズフリー通信を行う場合に、ユーザが発した音声をマイクロホン８から送話音声として入力すると、その入力した送話音声を音声処理してＢＴインタフェース部３に出力し、ＢＴインタフェース部３から受話音声を入力すると、その入力した受話音声をオーディオアンプ９に出力する。オーディオアンプ９は、通話音声処理部４から受話音声を入力すると、その入力した受話音声を増幅してスピーカ１０及びスピーカ１１から出力させる。
【００２２】
スピーカ１０及びスピーカ１１は左右対称に配置されており、スピーカ１０は例えば運転席ドアに配置され、スピーカ１１は例えば助手席ドアに配置されている。尚、オーディオアンプ９は、チューナーデッキ１２をも接続しており、チューナーデッキ１２が例えば音楽用記録媒体から再生した楽曲音やラジオ放送局から受信したラジオ番組を当該チューナーデッキ１２から入力すると、それら入力した楽曲音やラジオ番組を増幅してスピーカ１０及びスピーカ１１から出力させる。
【００２３】
記憶部５は、各種データを記憶可能に構成されており、電話番号と登録名との対応を表す電話帳データ、車載ハンズフリー装置１からの発信或いは当該車載ハンズフリー装置１との間でＨＦＰを接続中にある携帯電話機２１からの発信に係る発信時刻と発信電話番号との対応を表す発信履歴データ、車載ハンズフリー装置１との間でＨＦＰを接続中にある携帯電話機２１における応答した着信に係る着信時刻と着信電話番号との対応を表す着信履歴データ、車載ハンズフリー装置１との間でＨＦＰを接続中にある携帯電話機２１における応答しなかった着信に係る着信時刻と着信電話番号との対応を表す不在着信履歴データなどを記憶可能に構成されている。また、記憶部５は、車載ハンズフリー装置１との間でＨＦＰを接続中にある携帯電話機２１がＰＢＡＰに対応しているか否かを表すＰＢＡＰ対応フラグを記憶可能に構成されている。
【００２４】
ディスプレイ装置１３は、表示画面を表示する表示装置１４と、表示画面上にタッチスイッチを形成するタッチ操作入力装置１５（本発明でいう操作手段）とを備えて構成されている。表示制御部６は、制御部２から表示指令信号を入力すると、その入力した表示指令信号に基づいてディスプレイ装置１３における表示装置１４の表示動作を制御する。タッチ操作入力部７は、ユーザが表示画面上に形成されているタッチスイッチを操作したことに応じてタッチ操作入力装置１５から操作検知信号を入力すると、その操作検知信号を制御部２に出力し、制御部２は、タッチ操作入力部７から操作検知信号を入力すると、その操作検知信号に解析して処理を行う。
【００２５】
ＢＴの通信機能を有する携帯電話機２１は、ＢＴの通信規格で標準化されているハンズフリー通信を行うためのＨＦＰ、ＢＴの通信規格で標準化されている自機が提供可能な機能が問合わされたときに応答するためのＳＤＰに対応している。また、携帯電話機２１は、電話帳データを転送する機能という観点から大別すると、ＰＢＡＰに対応し且つＯＰＰに対応している機種と、ＰＢＡＰに対応していないがＯＰＰに対応している機種とがある。携帯電話機２１は、ＰＢＡＰに対応し且つＯＰＰに対応している機種であれば、車載ハンズフリー装置１との間でＳＤＰを接続すると、自機がＰＢＡＰに対応し且つＯＰＰに対応している旨を表すＰＢＡＰ対応通知を車載ハンズフリー装置１に通知し、一方、ＰＢＡＰに対応していないがＯＰＰに対応している機種であれば、車載ハンズフリー装置１との間でＳＤＰを接続すると、自機がＰＢＡＰに対応していないがＯＰＰに対応している旨を表すＰＢＡＰ非対応通知を車載ハンズフリー装置１に通知する。
【００２６】
次に、上記した構成の作用について、図２ないし図７を参照して説明する。尚、ここでは、携帯電話機２１と車載ハンズフリー装置１との間でＨＦＰとＰＢＡＰ或いはＯＰＰを同時接続する（マルチプロファイル接続する）ことが可能であることを前提として説明する。
【００２７】
車載ハンズフリー装置１において、制御部２は、図２及び図３に示すように、携帯電話機２１が車載ハンズフリー装置１のＢＴ通信圏内に存在しており、携帯電話機２１との間でＨＦＰの接続要求が発生した旨を判定すると（ステップＳ１にて「ＹＥＳ」）、携帯電話機２１との間でＨＦＰをＢＴインタフェース部３により接続させる（ステップＳ２）。
【００２８】
次いで、制御部２は、ＢＴインタフェース部３からＳＬＣ接続完了通知を入力すると、ＰＢＡＰ対応確認要求をＢＴインタフェース部３に出力し、携帯電話機２１との間でＳＤＰを接続させ、機能問合要求をＢＴインタフェース部３から携帯電話機２１に送信させ（ステップＳ３）、タイマによる計時を開始する（ステップＳ４）。そして、制御部２は、携帯電話機２１から機能問合応答が通知されたか否かを判定すると共に（ステップＳ５）、タイマによる計時時間が規定時間に到達したか（タイムアップしたか）否かを判定し（ステップＳ６）、携帯電話機２１からの機能問合応答が通知されることを待機する。
【００２９】
ここで、携帯電話機２１は、車載ハンズフリー装置１との間でＳＤＰを接続し、車載ハンズフリー装置１から送信された機能問合要求を受信すると、自機が提供可能な機能を表す機能問合応答を車載ハンズフリー装置１に送信する。すなわち、携帯電話機２１は、自機がＰＢＡＰに対応し且つＯＰＰに対応している機種であれば、ＰＢＡＰ対応通知を車載ハンズフリー装置１に通知し、一方、自機がＰＢＡＰに対応していないがＯＰＰに対応している機種であれば、ＰＢＡＰ非対応通知を車載ハンズフリー装置１に通知する。
【００３０】
制御部２は、タイマによる計時時間が規定時間に到達するよりも前に携帯電話機２１から機能問合応答が通知された旨を判定すると（ステップＳ５にて「ＹＥＳ」）、車載ハンズフリー装置１との間で接続させているＳＤＰを切断させ（ステップＳ７）、携帯電話機２１から通知された機能問合応答がＰＢＡＰ対応通知であるか否かを判定する（ステップＳ８）。
【００３１】
ここで、制御部２は、携帯電話機２１から通知された機能問合応答がＰＢＡＰ対応通知である旨を判定すると（ステップＳ８にて「ＹＥＳ」）、ＰＢＡＰ対応フラグに「１」を設定し（ステップＳ９）、電話帳データの転送要求が発生したか否かを判定し（ステップＳ１２）、電話帳データの転送要求が発生することを待機する。一方、制御部２は、携帯電話機２１から通知された機能問合応答がＰＢＡＰ対応通知でない旨を判定すると（ステップＳ８にて「ＮＯ」）、ＰＢＡＰ対応フラグに「０」を設定し（ステップＳ１１）、電話帳データの転送要求が発生したか否かを判定し（ステップＳ１２）、電話帳データの転送要求が発生することを待機する。
【００３２】
また、制御部２は、携帯電話機２１から機能問合応答が通知されるよりも前にタイマによる計時時間が規定時間に到達した旨を判定すると（ステップＳ６にて「ＹＥＳ」）、車載ハンズフリー装置１との間で接続させているＳＤＰを切断させ（ステップＳ１０）、この場合も、ＰＢＡＰ対応フラグに「０」を設定し（ステップＳ１１）、電話帳データの転送要求が発生したか否かを判定し（ステップＳ１２）、電話帳データの転送要求が発生することを待機する。
【００３３】
さて、制御部２は、ユーザが電話帳メニュー選択画面を表示させる操作を行うと、図４（ａ）に示す電話帳メニュー選択画面を表示装置１４に表示させる。電話帳メニュー選択画面には、電話帳データの転送を表す転送スイッチ（Transfer Contacts）１６ａ、電話帳データの新規作成を表す新規作成スイッチ（New Contacts）１６ｂ、電話帳データの編集を表す編集スイッチ（Edit Contacts）１６ｃ、電話帳データの削除を表す削除スイッチ（Delete Contacts）１６ｄが形成されている。
【００３４】
ここで、制御部２は、ユーザが転送スイッチ１６ａを操作した旨を判定し、電話帳データの転送要求が発生した旨を判定すると（ステップＳ１２にて「ＹＥＳ」）、図４（ｂ）に示す転送方式メニュー選択画面を表示装置１４に表示させる。転送方式メニュー選択画面には、携帯電話機２１に登録されている電話帳データの全件を転送対象とする電話帳データの全件転送を表す全件転送スイッチ（Replace）１６ｅ、携帯電話機２１に登録されている電話帳データの一部を転送対象とする電話帳データの追加転送を表す追加転送スイッチ（Add）１６ｆが形成されている。
【００３５】
ここで、制御部２は、ユーザが全件転送スイッチ１６ｅを操作した旨を判定し、全件転送要求が発生した旨を判定すると（ステップＳ１３にて「ＹＥＳ」）、その時点で設定しているＰＢＡＰ対応フラグを参照し（ステップＳ１５）、その時点で設定しているＰＢＡＰ対応フラグが「１」であるか否か、つまり、その時点でＨＦＰを接続中にある携帯電話機２１がＰＢＡＰ対応通知を規定時間内に通知した機種であるか否かを判定する（ステップＳ１６）。
【００３６】
制御部２は、その時点で設定しているＰＢＡＰ対応フラグが「１」である、つまり、その時点でＨＦＰを接続中にある携帯電話機２１がＰＢＡＰ対応通知を規定時間内に通知した機種である旨を判定すると（ステップＳ１６にて「ＹＥＳ」）、ＰＢＡＰの接続要求を発生させることにより、その時点でＨＦＰを接続中にある携帯電話機２１との間でＰＢＡＰを接続させ（ステップＳ１７）、携帯電話機２１から車載ハンズフリー装置１への電話帳データの転送を開始させる。このとき、ユーザは携帯電話機２１を操作する必要はない。
【００３７】
次いで、制御部２は、図４（ｃ）に示すＰＢＡＰ転送画面を表示装置１４に表示させ、携帯電話機２１から車載ハンズフリー装置１への電話帳データの転送をＰＢＡＰの接続により行っている旨をユーザに報知する。そして、制御部２は、携帯電話機２１から車載ハンズフリー装置１への電話帳データの転送が終了した旨を判定すると（ステップＳ１８にて「ＹＥＳ」）、携帯電話機２１との間で接続させているＰＢＡＰを切断させ（ステップＳ１９）、リターンする。
【００３８】
一方、制御部２は、その時点で設定しているＰＢＡＰ対応フラグが「０」である、つまり、その時点でＨＦＰを接続中にある携帯電話機２１がＰＢＡＰ対応通知を規定時間内に通知した機種以外の機種である旨を判定すると（ステップＳ１６にて「ＮＯ」）、その時点でＨＦＰを接続中にある携帯電話機２１からＯＰＰの接続要求が発生することにより、その時点でＨＦＰを接続させている携帯電話機２１との間でＯＰＰを接続させ（ステップＳ２０）、携帯電話機２１から車載ハンズフリー装置１への電話帳データの転送を開始させる。このとき、ユーザは携帯電話機２１を操作して携帯電話機２１から車載ハンズフリー装置１に転送させる電話帳データを指定する必要がある。
【００３９】
次いで、制御部２は、図４（ｄ）に示すＯＰＰ転送画面を表示装置１４に表示させ、携帯電話機２１から車載ハンズフリー装置１への電話帳データの転送をＯＰＰの接続により行っている旨をユーザに報知する。そして、制御部２は、携帯電話機２１から車載ハンズフリー装置１への電話帳データの転送が終了した旨を判定すると（ステップＳ２１にて「ＹＥＳ」）、携帯電話機２１との間で接続させているＯＰＰを切断させ（ステップＳ２２）、リターンする。
【００４０】
また、制御部２は、ユーザが追加転送スイッチ１６ｆを操作した旨を判定し、追加転送要求が発生した旨を判定すると（ステップＳ１４にて「ＹＥＳ」）、その時点で設定しているＰＢＡＰ対応フラグを参照することなく、この場合も、その時点でＨＦＰを接続中にある携帯電話機２１からＯＰＰの接続要求が発生されることにより、その時点でＨＦＰを接続させている携帯電話機２１との間でＯＰＰを接続させ（ステップＳ２０）、携帯電話機２１から車載ハンズフリー装置１への電話帳データの転送を開始させる。そして、制御部２は、携帯電話機２１から車載ハンズフリー装置１への電話帳データの転送が終了した旨を判定すると（ステップＳ２１にて「ＹＥＳ」）、携帯電話機２１との間で接続させているＯＰＰを切断させ（ステップＳ２２）、リターンする。
【００４１】
以上に説明した処理により、車載ハンズフリー装置１は、ＨＦＰを接続した後にＳＤＰを接続することによりＨＦＰを接続中にある携帯電話機２１がＰＢＡＰに対応するか否かを判定し、携帯電話機２１からＰＢＡＰ対応通知が規定時間内に通知された場合にはＰＢＡＰ対応フラグに「１」を設定し、一方、それ以外の場合（携帯電話機２１からＰＢＡＰ対応通知が規定時間内に通知されなかった場合及び携帯電話機２１からＰＢＡＰ対応通知が通知されることなく規定時間が経過した場合）にはＰＢＡＰ対応フラグに「０」を設定し、その後、ユーザが電話帳データの転送を指示する操作を行うと、ＰＢＡＰ対応フラグを参照し、携帯電話機２１との間でＰＢＡＰ及びＯＰＰのうちいずれかを選択して接続することになる。すなわち、この場合は、ＰＢＡＰ対応通知を規定時間内に通知した機種だけに対してＰＢＡＰ対応フラグに「１」を設定することにより、ＰＢＡＰを接続する可能性が極めて高い機種だけをＰＢＡＰの接続対象とすることになる。
【００４２】
ところで、以上は、携帯電話機２１から通知された機能問合応答がＰＢＡＰ対応通知であるか否かを判定する構成を説明したが、携帯電話機２１から通知された機能問合応答がＰＢＡＰ非対応通知であるか否かを判定しても良い。この場合、制御部１９は、図５に示すように、車載ハンズフリー装置１との間で接続させているＳＤＰを切断させた後に（ステップＳ７）、携帯電話機２１から通知された機能問合応答がＰＢＡＰ非対応通知であるか否かを判定する（ステップＳ３１）。
【００４３】
ここで、制御部２は、携帯電話機２１から通知された機能問合応答がＰＢＡＰ非対応通知である旨を判定すると（ステップＳ３１にて「ＹＥＳ」）、ＰＢＡＰ対応フラグに「０」を設定する（ステップＳ３２）。一方、制御部２は、携帯電話機２１から通知された機能問合応答がＰＢＡＰ非対応通知でない旨を判定すると（ステップＳ３１にて「ＮＯ」）、ＰＢＡＰ対応フラグに「１」を設定し（ステップＳ３３）、また、携帯電話機２１から機能問合応答が通知されるよりも前にタイマによる計時時間が規定時間に到達した旨を判定すると（ステップＳ６にて「ＹＥＳ」）、車載ハンズフリー装置１との間で接続させているＳＤＰを切断させ（ステップＳ１０）、この場合も、ＰＢＡＰ対応フラグに「１」を設定する（ステップＳ３３）。
【００４４】
以上に説明した処理により、車載ハンズフリー装置１は、ＨＦＰを接続した後にＳＤＰを接続することによりＨＦＰを接続中にある携帯電話機２１がＰＢＡＰに対応するか否かを判定し、携帯電話機２１からＰＢＡＰ非対応通知が規定時間内に通知された場合にはＰＢＡＰ対応フラグに「０」を設定し、一方、それ以外の場合（携帯電話機２１からＰＢＡＰ非対応通知が規定時間内に通知されなかった場合及び携帯電話機２１からＰＢＡＰ非対応通知が通知されることなく規定時間が経過した場合）にはＰＢＡＰ対応フラグに「１」を設定し、その後、ユーザが電話帳データの転送を指示する操作を行うと、ＰＢＡＰ対応フラグを参照し、携帯電話機２１との間でＰＢＡＰ及びＯＰＰのうちいずれかを選択して接続することになる。すなわち、この場合は、ＰＢＡＰ非対応通知を規定時間内に通知した機種以外の機種に対してＰＢＡＰ対応フラグに「１」を設定することにより、例えばＰＢＡＰに対応しているがその旨を規定時間内に通知しない或いは通知することが不可能に設計されている機種をもＰＢＡＰの接続対象とすることになる。
【００４５】
また、以上は、携帯電話機２１と車載ハンズフリー装置１との間でＨＦＰとＰＢＡＰ或いはＯＰＰを同時接続する（マルチプロファイル接続する）ことが可能であることを前提として説明したが、携帯電話機２１と車載ハンズフリー装置１との間でＨＦＰとＰＢＡＰ或いはＯＰＰを同時接続することが不可能である場合には、制御部２は、図６及び図７に示すように、ＰＢＡＰ対応フラグが「１」である旨を判定すると（ステップＳ１６にて「ＹＥＳ」）、その時点で携帯電話機２１との間で接続させているＨＦＰを一旦切断させ（ステップＳ４１）、ＨＦＰを一旦切断させた携帯電話機２１との間でＰＢＡＰを接続させ（ステップＳ１７）、携帯電話機２１から車載ハンズフリー装置１への電話帳データの転送が終了した旨を判定すると（ステップＳ１６にて「ＹＥＳ」）、携帯電話機２１との間で接続させているＰＢＡＰを切断させた後に（ステップＳ１７）、ＰＢＡＰを切断させた携帯電話機２１との間でＨＦＰを再接続させ（ステップＳ４２）、ＰＢＡＰを接続させる前の状態に復帰する。
【００４６】
また、制御部２は、ＰＢＡＰ対応フラグが「０」である旨を判定すると（ステップＳ１６にて「ＮＯ」）、または、追加転送要求が発生した旨を判定すると（ステップＳ１４にて「ＹＥＳ」）、その時点で携帯電話機２１との間で接続させているＨＦＰを一旦切断させ（ステップＳ４３）、ＨＦＰを一旦切断させた携帯電話機２１との間でＯＰＰを接続させ（ステップＳ２０）、携帯電話機２１から車載ハンズフリー装置１への電話帳データの転送が終了した旨を判定すると（ステップＳ２１にて「ＹＥＳ」）、携帯電話機２１との間で接続させているＯＰＰを切断させた後に（ステップＳ２２）、ＯＰＰを切断させた携帯電話機２１との間でＨＦＰを再接続させ（ステップＳ４４）、ＯＰＰを接続させる前の状態に復帰する。
【００４７】
尚、車載ハンズフリー装置１との間でＨＦＰの接続が許可されている携帯電話機２１が複数である場合には、各々の携帯電話機２１の電話機情報とＰＢＡＰ対応フラグとを対応付けて記憶部５に記憶可能に構成することにより、ＳＤＰを最初だけ接続させ、そのＳＤＰを接続させた携帯電話機２１の電話機情報とＰＢＡＰ対応フラグとを対応付けて記憶部５に記憶させることにより、次回以降はＳＤＰを接続させる必要はなく電話機情報を判定すれば良い。
【００４８】
以上に説明したように本実施形態によれば、車載ハンズフリー装置１において、携帯電話機２１との間でＨＦＰを接続させた後に、ＨＦＰを接続中にある携帯電話機２１との間でＳＤＰを接続させることにより携帯電話機２１のＰＢＡＰに対する対応状況をＰＢＡＰ対応フラグとして設定し、その後、ユーザが携帯電話機２１に登録されている電話帳データの全件を転送させる全件転送を指示する操作を行うと、ＰＢＡＰ対応フラグを参照して携帯電話機２１との間でＰＢＡＰ及びＯＰＰのうちいずれかを選択して接続するように構成したので、ユーザが電話帳データの転送を指示する操作を行った後で接続対象の携帯電話機２１がいずれのプロファイルに対応しているか否かを意識することなく携帯電話機２１から車載ハンズフリー装置１に電話帳データを転送させることができ、使い勝手を高めることができる。
【００４９】
また、電話帳データの全件を転送させる場合には携帯電話機２１を何ら操作する必要がなく、一方、電話帳データの一部を転送させる場合には携帯電話機２１を操作する必要があるという事情から、全件転送が指示された場合に携帯電話機２１がＰＢＡＰに対応しているか否かを判定し、携帯電話機２１がＰＢＡＰに対応している機種であればＰＢＡＰを選択し、一方、追加転送が指示された場合に携帯電話機２１がＰＢＡＰに対応しているか否かを判定することなくＯＰＰを選択することにより、用途に適したプロファイルを適切に選択して携帯電話機２１から車載ハンズフリー装置１に電話帳データを転送させることができる。
【００５０】
また、携帯電話機２１からＰＢＡＰ対応通知が規定時間内に通知された場合にはＰＢＡＰ対応フラグに「１」を設定し、一方、それ以外の場合にはＰＢＡＰ対応フラグに「０」を設定するように構成すれば、ＰＢＡＰを接続する確実性を高めることができる。これとは反対に、携帯電話機２１からＰＢＡＰ非対応通知が規定時間内に通知された場合にＰＢＡＰ対応フラグに「０」を設定し、一方、それ以外の場合にＰＢＡＰ対応フラグに「１」を設定するように構成すれば、例えばＰＢＡＰに対応しているがその旨を規定時間内に通知しない或いは通知することが不可能に設計されている機種をもＰＡＢＰの接続対象とすることができ、ＰＢＡＰに対応している機種を広く救済することができる。
【００５１】
さらに、ＰＢＡＰ対応フラグに「１」を設定した場合に、ユーザが電話帳データの転送を指示する操作を行わなくとも、携帯電話機２１との間でＰＢＡＰを接続するように構成すれば、携帯電話機２１のＰＢＡＰに対する対応状況を問合せた直後に、携帯電話機２１から車載ハンズフリー装置１に電話帳データを自動で転送させることができ、携帯電話機２１に登録されている最新の電話帳データを車載ハンズフリー装置１に自動で登録させることができる。
【００５２】
本発明は、上記した実施形態にのみ限定されるものではなく、以下のように変形または拡張することができる。
車載ハンズフリー装置に代えてハンズフリー機能を有する車載ナビゲーション装置から構成されていても良い。
ＨＦＰの接続手順を実行中にＳＤＰを接続させても良いし、ＨＦＰの接続手順を終了した後にＳＤＰを接続させても良い。
【図面の簡単な説明】
【００５３】
【図１】本発明の一実施形態を示す機能ブロック図
【図２】フローチャート（その１）
【図３】シーケンス図
【図４】表示画面を示す図
【図５】フローチャート（その２）
【図６】フローチャート（その３）
【図７】フローチャート（その４）
【符号の説明】
【００５４】
図面中、１は車載ハンズフリー装置、２は制御部（制御手段）、３はＢｌｕｅｔｏｏｔｈインタフェース部（第１の電話帳データ転送プロトコル接続手段、第２の電話帳データ転送プロトコル接続手段、ハンズフリー通信プロトコル接続手段、機能問合プロトコル接続手段）、５は記憶部（記憶手段）、１５はタッチ操作入力装置（操作手段）である。
【図１】
0004661896.tif 000002
【図２】
0004661896.tif 000003
【図３】
0004661896.tif 000004
【図４】
0004661896.tif 000005
【図５】
0004661896.tif 000006
【図６】
0004661896.tif 000007
【図７】
0004661896.tif 000008